(57)【要約】【目的】相手方の電話端末に実装される呼制御プロトコルに関わらず交換機に制御される電話端末において保留転送サービスの如き付加的な呼制御機能を可能とする電話交換方法、装置及びシステムを提供する。【構成】互いに異なるプロトコルにより動作する少なくとも２つのネットワークに各々が属する複数のＩＰ電話端末間の接続をなすＩＰ電話交換方法であり、少なくとも１つの中継アドレスを設け、該複数のＩＰ電話端末間の呼接続要求に応じて、該複数のＩＰ電話端末の各々と該中継アドレスとの間の各々について対応するプロトコルにより接続し、該中継アドレスを介して接続がなされた複数のＩＰ電話端末の各々のアドレス間の対応を転送テーブルに設定する。そして、該複数のＩＰ電話端末の各々から送信される通話信号のパケットを該中継アドレスにおいて一旦受信した後に該転送テーブルに基づいて当該パケットの発信元のアドレスに対応する転送先のアドレスに送信することにより該複数のＩＰ電話端末間の通話を可能とする。本発明による電話交換装置及びシステムは、かかる交換方法を実行する。【選択図】  図３
2005072673.tif 000002
【特許請求の範囲】
【請求項１】
互いに異なるプロトコルにより動作する少なくとも２つのネットワークに各々が属する複数の電話端末間の接続をなすＩＰ電話交換方法であって、
少なくとも１つの中継アドレスを設けるステップと、
前記複数の電話端末間の呼接続要求に応じて、前記複数の電話端末の各々と前記中継アドレスとの間の各々について対応するプロトコルにより接続する呼接続ステップと、
前記中継アドレスを介して接続がなされた複数の電話端末の各々のアドレス間の対応を転送テーブルに設定する転送テーブル設定ステップと、
前記複数の電話端末の各々から送信される通話信号のパケットを前記中継アドレスにおいて一旦受信した後に前記転送テーブルに基づいて当該パケットの発信元のアドレスに対応する転送先のアドレスに送信する転送ステップと、
を含むことを特徴とするＩＰ電話交換方法。
【請求項２】
前記複数のうちの一方の電話端末からの保留要求に応じて、前記複数のうちの他方の電話端末に向けて保留音のパケットを送信する保留音送信ステップを更に含むことを特徴とする請求項１記載のＩＰ電話交換方法。
【請求項３】
前記複数のうちの一方の電話端末からの保留要求に応じて、前記一方の電話端末と同一のネットワークに属する転送先電話端末への呼転送要求に応じて、前記転送テーブルにおける前記一方の電話端末のアドレスを前記転送先電話端末のアドレスに変更することにより呼転送をなす呼転送ステップを更に含むことを特徴とする請求項１又は２記載の電話通信方法。
【請求項４】
前記異なるプロトコルのうちの少なくとも１つは、ＳＩＰプロトコル、ＭＧＣＰプロトコル又はＩＴＵ−Ｔ勧告Ｈ．３２３に基づくプロトコルであることを特徴とする先行する請求項何れか１記載のＩＰ電話交換方法。
【請求項５】
前記通信信号のパケットデータの送受信は、ＲＴＰプロトコルに基づいてなすことを特徴とする先行する請求項何れか１記載のＩＰ電話交換方法。
【請求項６】
互いに異なるプロトコルにより動作する少なくとも２つのネットワークに各々が属する複数の電話端末間の接続をなすＩＰ電話交換装置であって、
少なくとも１つの中継アドレスを設ける手段と、
前記複数の電話端末間の呼接続要求に応じて、前記複数の電話端末の各々と前記中継アドレスとの間の各々について対応するプロトコルにより接続する呼接続手段と、
前記中継アドレスを介して接続がなされた複数の電話端末の各々のアドレス間の対応を転送テーブルに設定する転送テーブル設定手段と、
前記複数の電話端末の各々から送信される通話信号のパケットを前記中継アドレスにおいて一旦受信した後に前記転送テーブルに基づいて当該パケットの発信元のアドレスに対応する転送先のアドレスに送信する転送手段と、
を含むことを特徴とするＩＰ電話交換装置。
【請求項７】
前記複数のうちの一方の電話端末からの保留要求に応じて、前記複数のうちの他方の電話端末に向けて保留音のパケットを送信する保留音送信手段を更に含むことを特徴とする請求項６記載のＩＰ電話交換装置。
【請求項８】
前記複数のうちの一方の電話端末からの保留要求に応じて、前記一方の電話端末と同一のネットワークに属する転送先電話端末への呼転送要求に応じて、前記転送テーブルにおける前記一方の電話端末のアドレスを前記転送先電話端末のアドレスに変更することにより呼転送をなす呼転送手段を更に含むことを特徴とする請求項６又は７記載のＩＰ電話交換装置。
【請求項９】
１つのプロトコルの下で動作する第１ネットワークに属する複数の電話端末間の交換をなす交換機と、前記第１ネットワークとは異なるプロトコルの下で動作する第２ネットワークに属する少なくとも１つの電話端末と前記第１ネットワークに属する少なくとも１つの電話端末との間の接続をなすパケット転送装置とからなる電話交換システムであって、
前記交換機は、呼接続の要求に応じて、前記第１ネットワークの電話端末及び前記第２ネットワークの電話端末の各々と前記中継アドレスとの間について対応するプロトコルにより呼接続をなす手段を有し、
前記パケット転送装置は、少なくとも１つの中継アドレス及び転送テーブルを備え、前記交換機と協働して前記第１ネットワークの電話端末及び前記第２ネットワークの電話端末の各々のアドレス間の対応を転送テーブルに設定し、前記第１ネットワークの電話端末及び前記第２ネットワークの電話端末の各々から送信される通話信号のパケットを前記中継アドレスにおいて一旦受信した後に前記転送テーブルに基づいて当該パケットの発信元のアドレスに対応する転送先のアドレスに送信する手段を有することを特徴とする電話交換システム。
【発明の詳細な説明】
【０００１】
【発明の属する技術分野】
本発明は、ＶｏＩＰ（Ｖｏｉｃｅ  ｏｖｅｒ  Ｉｎｔｅｒｎｅｔ  Ｐｒｏｔｏｃｏｌ）技術によるＩＰ電話の如きパケットデータネットワークを介して電話通話信号を送受信する電話交換方法、装置及びシステムに関する。
【０００２】
【従来の技術】
ＶｏＩＰ技術を用いることでＩＰネットワークを介した電話通話が可能となっている。かかる方式による電話通信は一般的にＩＰ電話と呼ばれる。ＩＰ電話の利用は、企業等の大規模な組織における内線通信においてとりわけ従来のアナログ電話からＩＰ電話への移行が進んでいる。
【０００３】
内線通信の利用形態は、組織内の各部門間で電話通話をなすこととのみならず、外線を適宜部門間で転送することがしばしばなされる。このため従来のアナログ電話の方式において、多数の内線電話を有する組織は、構内交換機（以下、ＰＢＸと称する）を設置してこれを用いてかかる転送サービス、付随的な保留サービスを実現していた。
【０００４】
ところで、ＩＰ電話端末における構内交換機は、ＩＰ−ＰＢＸと呼ばれる。かかるＩＰ−ＰＢＸは、従来のＰＢＸと同様に多数の内線電話を収容すると共に、外部の公衆電話機回線網の局線と接続する機能、インターネット等の外部のＩＰネットワークと接続するゲートウェイ機能等の多様な機能を備え得る。
かかるＩＰ−ＰＢＸが、従来のＰＢＸ並みの付加サービスを行うために、ＰＢＸ配下にある多機能電話機やゲートウェイの制御を独自の制御情報の交換により（以下、独自プロトコルと称する）を用いて実現している製品が数多く存在する。この場合、ＩＰ−ＰＢＸは、標準的なプロトコル（例えば、Ｈ．３２３）に従う外部のＩＰ電話端末との呼制御情報を終端し、これを前述の如き独自プロトコルで代行させることでその配下のＩＰ電話端末との間で呼制御を可能とするようにしている。
【０００５】
【発明が解決しようとする課題】
しかし、保留及び転送などのサービスの如き付加的なサービスを実現させる場合には、かかる標準的なプロトコルを前提とした上での転送手段をＩＰ−ＰＢＸ側で実装する必要がある。また、接続する相手装置によっては保留及び転送手順を実装していない場合もあるために実際に保留及び転送などのサービスが提供できないことが多い。
【０００６】
本発明の目的は、相手方の電話端末に実装される呼制御プロトコルに関わらず交換機に制御される電話端末において保留転送サービスの如き付加的な呼制御機能を可能とする電話交換方法、装置及びシステムを提供することである。
【０００７】
【課題を解決するための手段】
本発明による電話交換方法は、互いに異なるプロトコルにより動作する少なくとも２つのネットワークに各々が属する複数の電話端末間の接続をなすＩＰ電話交換方法であり、少なくとも１つの中継アドレスを設けるステップと、該複数の電話端末間の呼接続要求に応じて、該複数の電話端末の各々と該中継アドレスとの間の各々について対応するプロトコルにより接続する呼接続ステップと、該中継アドレスを介して接続がなされた複数の電話端末の各々のアドレス間の対応を転送テーブルに設定する転送テーブル設定ステップと、該複数の電話端末の各々から送信される通話信号のパケットを該中継アドレスにおいて一旦受信した後に該転送テーブルに基づいて当該パケットの発信元のアドレスに対応する転送先のアドレスに送信する転送ステップと、を含むことを特徴とする。
【０００８】
本発明による電話交換装置は、互いに異なるプロトコルにより動作する少なくとも２つのネットワークに各々が属する複数の電話端末間の接続をなすＩＰ電話交換装置であり、少なくとも１つの中継アドレスを設ける手段と、該複数の電話端末間の呼接続要求に応じて、該複数の電話端末の各々と該中継アドレスとの間の各々について対応するプロトコルにより接続する呼接続手段と、該中継アドレスを介して接続がなされた複数の電話端末の各々のアドレス間の対応を転送テーブルに設定する転送テーブル設定手段と、該複数の電話端末の各々から送信される通話信号のパケットを該中継アドレスにおいて一旦受信した後に該転送テーブルに基づいて当該パケットの発信元のアドレスに対応する転送先のアドレスに送信する転送手段と、を含むことを特徴とする。
【０００９】
本発明による電話交換システムは、１つのプロトコルの下で動作する第１ネットワークに属する複数の電話端末間の交換をなす交換機と、該第１ネットワークとは異なるプロトコルの下で動作する第２ネットワークに属する少なくとも１つの電話端末と該第１ネットワークに属する少なくとも１つの電話端末との間の接続をなすパケット転送装置とからなる電話交換システムであり、該交換機は、呼接続の要求に応じて、該第１ネットワークの電話端末及び該第２ネットワークの電話端末の各々と該中継アドレスとの間について対応するプロトコルにより呼接続をなす手段を有し、該パケット転送装置は、少なくとも１つの中継アドレス及び転送テーブルを備え、該交換機と協働して該第１ネットワークの電話端末及び該第２ネットワークの電話端末の各々のアドレス間の対応を転送テーブルに設定し、該第１ネットワークの電話端末及び該第２ネットワークの電話端末の各々から送信される通話信号のパケットを該中継アドレスにおいて一旦受信した後に該転送テーブルに基づいて当該パケットの発信元のアドレスに対応する転送先のアドレスに送信する手段を有することを特徴とする。
【００１０】
【発明の実施の形態】
本発明の実施例について添付の図面を参照して詳細に説明する。
図１は、本発明による方法を実施するパケット転送装置１３を含むシステム全体の構成を示している。複数の構内ＩＰ電話端末１０ａ及び１０ｂが構内ＩＰネットワーク１４、ＩＰ−ＰＢＸ１２及びＩＰネットワーク１５を介して複数の外部ＩＰ電話端末１１ａ及び１１ｂが接続されている。構内ＩＰネットワーク１４には、パケット転送装置１３が接続されている。本発明による電話交換方法、装置及びシステムは、ＩＰ−ＰＢＸ１２及びパケット転送装置１３により実現される。
【００１１】
複数の構内ＩＰ電話端末１０ａ及び１０ｂと複数の外部ＩＰ電話端末１１ａ及び１１ｂの各々は、ＶｏＩＰ（Ｖｏｉｃｅ  ｏｖｅｒ  Ｉｎｔｅｒｎｅｔ  Ｐｒｏｔｏｃｏｌ）技術を用いて電話通話を実現する。ＶｏＩＰとは、ＩＰネットワークにおいて音声通話を行うための技術やサービスの総称であり、その技術の中核は、電話のための通話路を確立、維持そして開放する一連の制御手順である呼制御プロトコルと、音声をＩＰネットワークに適合する音声パケットにデジタル符号化又はその逆を行う復号化からなる音声符号化技術と、パケットの遅延又は欠損の発生にも関わらず良好な音声品質の保つための通信品質技術とからなる。ＶｏＩＰにおける呼制御プロトコルとしては、多様なプロトコルが用いられ得る。
【００１２】
本実施例においては、複数の外部ＩＰ電話端末１１ａ及び１１ｂは，通常のＩＰネットワーク、例えばインターネットの如きＩＰネットワークにおいてＶｏＩＰによる電話通話が可能な標準端末であり、例えば、ＩＴＵ−Ｔ勧告Ｈ．３２３によるプロトコル、ＩＥＴＦ（ＲＦＣ２５４３）にて定められたＳＩＰ（Ｓｅｓｓｉｏｎ  Ｉｎｉｔｉａｔｉｏｎ  Ｐｒｏｔｏｃｏｌ）プロトコル、ＩＥＴＦ（ＲＦＣ２７０５）にて提案されたＭＧＣＰ（Ｍｅｄｉａ  Ｇａｔｅｗａｙ  Ｃｏｎｔｒｏｌ  Ｐｒｏｔｏｃｏｌ）プロトコル等のプロトコルが用いられ得る。
【００１３】
複数の構内ＩＰ電話端末１０ａ及び１０ｂは、構内ＩＰネットワーク１４を介してＩＰ−ＰＢＸ１２に接続され、ＩＰ−ＰＢＸ１２に依存する独自のプロトコルで制御される端末である。該独自プロトコルとは、前述したＨ．３２３プロトコル、ＳＩＰプロトコル若しくはＭＧＣＰプロトコルを基礎として、これに対して呼制御情報又は手順を追加変更したプロトコル、更にはまったく独自のプロトコルであっても良い。この意味において、複数の構内ＩＰ電話端末１０ａ及び１０ｂと、複数の外部ＩＰ電話端末１１ａ及び１１ｂとは、互いに異なるプロトコルにより呼制御がなされる。
【００１４】
尚、図１において、説明の容易性から２つの構内ＩＰ電話端末１０ａ及び１０ｂ及び２つの外部ＩＰ電話端末１１ａ及び１１ｂのみが示されているが、本発明よる方法及び装置は、多数のＩＰ電話端末を収容する形態を想定している。
ＩＰ−ＰＢＸ１２は、複数の内線電話を収容し得る構内交換機であり、ＶｏＩＰ通信におけるパケットの切換及び交換をソフトウェアに実現する機能を有する。本実施例におけるＩＰ−ＰＢＸ１２は、複数の構内ＩＰ電話端末１０ａ乃至１０ｂと、パケット転送装置１３に対して、標準プロトコルとは異なる独自プロトコルを用いて、複数の構内ＩＰ電話端末１０ａ乃至１０ｂに対して転送及び保留のサービス機能を提供する。標準プロトコル又は独自プロトコルは、何れもネットワーク階層におけるアプリケーション層に位置するプロトコルであり、下位のプロトコルとしてネットワーク層に位置するＵＤＰ（Ｕｓｅｒ  Ｄａｔａｇｒａｍ  Ｐｒｏｔｏｃｏｌ）／ＴＣＰ（Ｔｒａｎｓｍｉｓｓｉｏｎ  Ｃｏｎｔｒｏｌ  Ｐｒｏｔｏｃｏｌ）プロトコルを呼制御に用い、音声パケットの交換は、ＵＤＰの上位層に位置するＲＴＰ（Ｒｅａｌｔｉｍｅ  Ｔｒａｎｓｐｏｒｔ  Ｐｒｏｔｏｃｏｌ）プロトコルを用いて行う。従って、以下の説明において、通話のための音声信号の交換の際の通信パケットをＲＴＰパケットと称して説明する。ＲＴＰプロトコルによるパケットは、その送出時間や順序情報を含むことで画像又は音響データの送受信に適するパケットであるが、一方でＩＰアドレスの如きアドレス情報を含まない。これは、ＲＴＰパケットの送受信の宛先等のアドレス情報は、ＲＴＰパケットが更にパケット化されるＩＰパケットのヘッダーに含まれる。
【００１５】
尚、ＩＰ−ＰＢＸ１２を通常の公衆電話回線網（図示せず）に接続することで、構内ＩＰ電話端末１０ａ及び１０ｂ及び外部ＩＰ電話端末１１ａ及び１１ｂと公衆電話回線網に繋がれた通常のアナログ電話機との間の通話を可能としても良い。
パケット転送装置１３は、送受信部１３１と、転送処理部１３３と、保留音音源１３４と、転送テーブル１３５と、指示受付部１３６とを含む。パケット転送装置１３には、パケット転送をなすための中継アドレス（例えば、後述するＩＰアドレスＣ）が呼接続要求毎に割り当てられ、この中継アドレスを介して音声信号のパケットが一旦受信されて適切な転送先に転送される。パケット転送装置１３は、好ましくは一般的なターミナルアダプタと呼称される通常のコンピュータハードウェアにより実現され得る。
【００１６】
パケット転送装置１３の送受信部１３１は、構内ＩＰネットワーク１４に接続され、例えばイーサネット（登録商標）等の物理層の通信方式を用いネットワーク層にＩＰプロトコルを用いてパケットの送受信を行う。
パケット転送装置１３の転送処理部１３３は、構内ＩＰ電話端末１０ａ及び１０ｂと外部ＩＰ電話端末１１ａ及び１１ｂとの各々から直接又はＩＰ−ＰＢＸ１２を介して受信されるパケットを転送テーブル１３５に示される転送先である構内ＩＰ電話端末１０ａ及び１０ｂ及び外部ＩＰ電話端末１１ａ及び１１ｂの何れかに転送する機能を有する。転送処理部１３３は、また、転送テーブル１３５に示される転送先がパケットの破棄を指示する場合に、当該パケットを破棄する機能と、転送テーブル１３５の発信元の指定が保留音の送信を指示する場合に、対応する転送先の外部ＩＰ電話端末１１ａ及び１１ｂの何れかに保留音の音声パケットを送信する機能を有する。
【００１７】
パケット転送装置１３の保留音音源１３４は、転送・保留サービスにおける保留時に通話を保留される電話機に向けて送出する保留音を、例えばＦＭ信号又はＰＣＭ信号の形態にて保持し、転送処理部１３３の指示に応じて出力する機能を有する。
パケット転送装置１３の指示受付部１３６は、ＩＰ−ＰＢＸ１２からの転送指示又は保留音送出指示に基づいて、前述したように転送テーブル１３５を書き換えて更新する機能を有する。転送指示及び保留音送出指示のコマンドメッセージは、例えばＵＤＰパケットにより送信する。
【００１８】
パケット転送装置１３の転送テーブル１３５は、転送処理部１３３により転送するパケットの発信元と転送先とを対応づける。ここで、図２を参照すると、転送テーブル１３５の１つの例が示されている。図の例では、発信元としてＩＰアドレスＡに対して転送先としてＩＰアドレスＢが設定される。これにより、ＩＰアドレスＡのＩＰ電話端末から受信されるパケットは、転送処理部１３３によりＩＰアドレスＢのＩＰ電話端末に転送される。更に、図の例において、発信元のＩＰアドレスＢに対して「パケット破棄」が示すダミーアドレスが転送先として対応づけられている。この指示に従い、ＩＰアドレスＢのＩＰ電話端末から受信されるパケットは、転送処理部１３３により破棄され、何らどのＩＰ電話端末にも転送されない。一方、「保留音送出」を指示する旨のダミーアドレスを発信元としてＩＰアドレスＡが転送先に設定されている。これにより転送処理部１３３は、保留音音源１３４からの保留音パケットをＩＰアドレスＡのＩＰ電話端末に転送、即ち送出する。尚、ダミーアドレスとしては、運用上割り当てられていないＩＰアドレス、例えば、「２２４．０．０．０」の如き値を割り当てることが考えられる。また、転送テーブル１３５を用いたこのパケット破棄及び保留音送出の指示形態は、１つの例であり多様な方法が有り得る。
＜構内ＩＰ電話端末１０ａ発信時における動作の説明＞
図３は、独自仕様のプロトコルに従った構内ＩＰ電話端末が発呼する場合の処理手順を示している。ここで、構内ＩＰ電話端末１０ａには、ＩＰアドレスＡが割り当てられ、パケット転送装置１３にＩＰアドレスＣが割り当てられ、外部ＩＰ電話端末１１ａにはＩＰアドレスＢが割り当てられているものとする。
【００１９】
まず、構内ＩＰ電話端末１０ａは、ＩＰ−ＰＢＸ１２に向けて標準ＩＰ電話１１ｂに対する発信操作を行う（ステップＳ１１）。これに応じて、ＩＰ−ＰＢＸ１２は、外部ＩＰ電話端末１１ａに対して発呼動作を行う（ステップＳ１２）。該発呼動作は、外部ＩＰ電話端末１１ａに対応する標準プロトコルに従った発呼メッセージを送信する。ＩＰ−ＰＢＸ１２がこのメッセージを編集する際には、発信元のＩＰアドレスをパケット転送装置１３のＩＰアドレス、即ちＩＰアドレスＣとする。
【００２０】
これに応じて、外部ＩＰ電話端末１１ｂは呼び出しを行う（ステップＳ１３）。一方、構内ＩＰ電話端末１０ａに対して、ＩＰ−ＰＢＸ１２は呼び出し音送出指示をなすことで（ステップＳ１４）、構内ＩＰ電話端末１０ａは呼び出し音を再生する。
この呼び出しに応じて、外部ＩＰ電話端末１１ａが応答する（ステップＳ１５）。この場合、応答の相手ＩＰアドレスをＩＰアドレスＣとする。外部ＩＰ電話端末１１ａの応答に応じて、ＩＰ−ＰＢＸ１２は、パケット転送装置１３に対して外部ＩＰ電話端末１１ａのＩＰアドレスからのパケットは構内ＩＰ電話端末１０ａのＩＰアドレスへ転送し、構内ＩＰ電話端末１０ａのＩＰアドレスからのパケットは外部ＩＰ電話端末１１ａのＩＰアドレスへ転送するように指示する（ステップＳ１６）。
【００２１】
この指示に応じて、パケット転送装置１３は、転送テーブル１３５の設定をなす（ステップＳ１７）。即ち、ＩＰアドレスＡとＩＰアドレスＢとが対応するように設定する。次いで、ＩＰ−ＰＢＸ１２は、音声送受信の相手ＩＰアドレスをＩＰアドレスＣとして、構内ＩＰ電話端末１０ａに音声送受信指示をなす（ステップＳ１８）。これにより、構内ＩＰ電話端末１０ａと外部ＩＰ電話端末１１ａとの間で通話路が設定され、パケット転送装置１３は、構内ＩＰ電話端末１０ａ及び外部ＩＰ電話端末１１ａとの間で通話信号のＲＴＰパケットのパケット転送処理を実行する（ステップＳ１９）。
【００２２】
以上の処理手順により、構内ＩＰ電話端末１０ａ及び外部ＩＰ電話端末１１ａの通話相手のＩＰアドレスはパケット転送装置１３のＩＰアドレス（即ち、ＩＰアドレスＣ）に設定され、見かけ上は構内ＩＰ電話端末１０ａ及び外部ＩＰ電話端末１１ａの通話相手はパケット転送装置１３となるが、パケット転送装置１３が通話信号のＲＴＰパケットを両者の間で転送することにより構内ＩＰ電話端末１０ａと外部ＩＰ電話端末１１ａとの通話が成立する。
＜構内ＩＰ電話端末１０ａ着信時における動作の説明＞
図４は、独自仕様のプロトコルに従った構内ＩＰ電話端末に着呼する場合の処理手順を示している。ここで、構内ＩＰ電話端末１０ａには、ＩＰアドレスＡが割り当てられ、パケット転送装置１３にＩＰアドレスＣが割り当てられ、外部ＩＰ電話端末１１ａにはＩＰアドレスＢが割り当てられているものとする。
【００２３】
先ず、外部ＩＰ電話端末１１ａが発呼を行う（ステップＳ２１）。この際に、発信元のＩＰアドレスとしてＩＰアドレスＢとする。次いで、この発呼動作に応じて、ＩＰ−ＰＢＸ１２は、構内ＩＰ電話端末１０ａに対して鳴動音送出指示をなす（ステップＳ２２）。並行して、ＩＰ−ＰＢＸ１２は、外部ＩＰ電話端末１１ａに対して着呼先を呼び出し中であることを通知する（ステップＳ２３）。
【００２４】
構内ＩＰ電話端末１０ａの鳴動音送出に応じた操作者の応答操作により（ステップＳ２４）、ＩＰ−ＰＢＸ１２は、応答メッセージを外部ＩＰ電話端末１１ａに対して送信する（ステップＳ２５）。この応答メッセージは、外部ＩＰ電話端末１１ａに対応した標準のプロトコルに従ったメッセージであり、応答元のＩＰアドレス（即ち、着呼する相手ＩＰアドレス）をパケット転送装置１３のＩＰアドレスＣとして通知する。
【００２５】
次いで、ＩＰ−ＰＢＸ１２は、パケット転送装置１３に対してパケット転送指示する（ステップＳ２６）。ＩＰ−ＰＢＸ１２は、パケット転送装置１３に対して外部ＩＰ電話端末１１ａのＩＰアドレスからのパケットは構内ＩＰ電話端末１０ａのＩＰアドレスへ、一方、構内ＩＰ電話端末１０ａのＩＰアドレスからのパケットは外部ＩＰ電話端末１１ａのＩＰアドレスへ転送するように指示をする。
【００２６】
この指示に従って、構内ＩＰ電話端末１０ａは転送テーブル１３５を設定する（ステップＳ２７）。即ち、ＩＰアドレスＡとＩＰアドレスＢとが対応づけられる。次いで、ＩＰ−ＰＢＸ１２は、構内ＩＰ電話端末１０ａに対して音声送受信指示をなす（ステップＳ２８）。この時、ＩＰ−ＰＢＸ１２は、構内ＩＰ電話端末１０ａに対して音声パケットの送信先の相手ＩＰアドレスをパケット転送装置１３のＩＰアドレス、即ち、ＩＰアドレスＣとして指示する。
【００２７】
これにより、パケット転送装置１３は、外部ＩＰ電話端末１１ａと外部ＩＰ電話端末１１ａとの間でパケットのパケット転送処理をなす（ステップＳ２９）。
以上の処理手順により、構内ＩＰ電話端末１０ａ及び外部ＩＰ電話端末１１ａの通話相手のＩＰアドレスはパケット転送装置１３のＩＰアドレス（即ち、ＩＰアドレスＣ）に設定され、見かけ上は構内ＩＰ電話端末１０ａ及び外部ＩＰ電話端末１１ａの通話相手はパケット転送装置１３となるが、パケット転送装置１３が通話信号のＲＴＰパケットを両者の間で転送することにより構内ＩＰ電話端末１０ａと外部ＩＰ電話端末１１ａとの通話が成立する。
＜構内ＩＰ電話端末１０ａ保留操作時における動作の説明＞
図５は、独自仕様のプロトコルに従った構内ＩＰ電話端末が接続中の通話を保留する場合の処理手順を示している。
【００２８】
パケット転送装置１３がパケットのパケット転送処理をなしている（ステップＳ３１）ことで、構内ＩＰ電話端末１０ａと外部ＩＰ電話端末１１ａとの間で通話路が設定されている。ここで、構内ＩＰ電話端末１０ａは保留操作をなす（ステップＳ３２）。
これに応じて、ＩＰ−ＰＢＸ１２は、パケット転送装置１３に対してパケット転送停止指示をなす。この場合にＩＰアドレスＡとＩＰアドレスＢとの対応づけを抹消するように設定される。次いで、保留御送出指示として保留音指示のダミーアドレスとＩＰアドレスＢとが対応付けて設定される（ステップＳ３３）。次いで、ＩＰ−ＰＢＸ１２は、構内ＩＰ電話端末１０ａに対してＲＴＰ送受信停止指示する（ステップＳ３４）。
【００２９】
そして、パケット転送装置１３は、外部ＩＰ電話端末１１ａからの音声パケットを受信するものの、これら音声パケットである受信パケットを破棄する（ステップＳ３５）。並行して、外部ＩＰ電話端末１１ａに向けて保留音を送出する（ステップＳ３６）。
この保留音の音声パケットを受信する外部ＩＰ電話端末１１ａは、呼状態を通話中のまま保留音受信する（ステップＳ３７）。
【００３０】
以上の処理手順では、ＩＰ−ＰＢＸ１２がパケット転送装置１３に対して従前のパケット転送を停止するよう指示し、且つ、保留により待たされるべき外部ＩＰ電話端末１１ａに向けて保留音の音声パケットを送信する様に指示し、一方、構内ＩＰ電話端末１０ａに対してはＲＴＰパケットの送受信を停止するよう指示している。これにより、外部ＩＰ電話端末１１ａの呼状態は通話中のまま保留音を聴取することになり、見かけ上は保留されたことになる。
＜構内ＩＰ電話端末１０ａ転送操作時における動作の説明＞
図６は、独自仕様のプロトコルに従った構内ＩＰ電話端末が接続中の通話を保留の後に他のＩＰ電話端末に呼転送する場合の処理手順を示している。
【００３１】
ここでは、構内ＩＰ電話端末１０ａと外部ＩＰ電話端末１１ａとの通話時に構内ＩＰ電話端末１０ａが保留操作を行い外部ＩＰ電話端末１１ａが保留音を聴取している状態において、構内ＩＰ電話端末１０ａが別の構内ＩＰ電話端末１０ｂ、即ちＩＰアドレスＤの構内ＩＰ電話端末１０ｂに呼転送操作を行う場合を説明している。
【００３２】
先ず、パケット転送装置１３は、外部ＩＰ電話端末１１ａに対して保留音を送出している（ステップＳ４１）。これに応じて，外部ＩＰ電話端末１１ａは、呼状態を通話中のまま保留音受信している（ステップＳ４２）。
この時点で、構内ＩＰ電話端末１０ａは、その操作者の操作により呼転送操作する（ステップＳ４３）。これに応じて、ＩＰ−ＰＢＸ１２は、パケット転送装置１３に対して保留音送出停止を指示し、新たなパケット転送を指示する（ステップＳ４４）。この際に、ＩＰ−ＰＢＸ１２は、パケット転送装置１３に対して、外部ＩＰ電話端末１１ａのＩＰアドレスからのパケットは構内ＩＰ電話端末１０ｂのＩＰアドレス（即ち、ＩＰアドレスＤ）へ転送し、構内ＩＰ電話端末１０ｂのＩＰアドレスからのパケットは外部ＩＰ電話端末１１ａのＩＰアドレスへ転送するように指示をする。
【００３３】
次に、ＩＰ−ＰＢＸ１２は、転送先である構内ＩＰ電話端末１０ｂに対して音声送受信指示をなす（ステップＳ４５）。この際に、外部ＩＰ電話端末１１ｂに対して、音声パケットの送受信の相手ＩＰアドレスはパケット転送装置１３のＩＰアドレス（即ち、ＩＰアドレスＣ）として指示する。次いで、パケット転送装置１３は、構内ＩＰ電話端末１０ｂと外部ＩＰ電話端末１１ａとの間でＲＴＰパケットのパケット転送処理を行う（ステップＳ４６）。これにより、呼状態を通話中のまま、呼が転送された構内ＩＰ電話端末１０ｂと外部ＩＰ電話端末１１ａとの間に通話路が設定されて通話を再開する（ステップＳ４７）。
【００３４】
以上の処理手順により、外部ＩＰ電話端末１１ａの通話相手方のＩＰアドレスは見かけ上は常にパケット転送装置１３であるが、呼の転送要求に応じて転送テーブル１３５が書き換えらることで、このテーブルを参照するパケット転送装置１３は、呼が転送された構内ＩＰ電話端末１０ｂと外部ＩＰ電話端末１１ａとの間でＲＴＰパケットを転送する。外部ＩＰ電話端末１１ａに対しては何ら呼転送に関わる呼制御をなすことなくかかるサービスの恩恵を受けることができる。
【００３５】
以上の実施例においては、呼接続が構内ＩＰ電話端末及び外部ＩＰ電話端末の各々とパケット転送装置の中継アドレスとの間に設定されると共に、構内ＩＰ電話端末及び外部ＩＰ電話端末の各々のアドレスは転送テーブルにおいて対応付けられ、ＲＴＰパケットの転送経路が設定される。これにより、パケット転送装置と構内ＩＰ電話端末との間は独自の制御により呼制御をなし得る。従って、相手方のＩＰ電話端末に実装される呼制御プロトコルに関わらず構内交換機の管理下のＩＰ電話端末との間で保留転送サービスが可能となる。
【００３６】
尚、以上の実施例の説明は、企業等の構内ＩＰ電話端末のネットワークとインターネット電話の如き不特定の外部のＩＰ電話端末のネットワークと接続する例について説明されたが、本発明による電話交換方法、装置及びシステムは、構内或いは外部の用語に関わらず異なる呼制御プロトコルにより動作するネットワークに各々が属する複数のＩＰ電話端末間の接続を交換する形態に適用し得る。
【００３７】
また、以上の実施例の説明では、電話端末としてＩＰプロトコルを基礎とするＩＰ電話端末について説明されたが、本発明はかかる電話端末に限定されず、パケットデータネットワークにおいてアドレスにより端末を特定して通話信号を該パケットの形態にて通信する他の形態にも適用し得る。
【００３８】
【発明の効果】
以上のように、本発明による電話交換方法、装置及びシステムによれば、相手方のＩＰ電話端末に実装される呼制御プロトコルに関わらず、自ネットワーク側の交換機に制御される電話端末に保留転送サービスの如き付加的な呼制御機能を提供することが可能となる。
【図面の簡単な説明】
【図１】本発明の実施例であり、パケット転送装置を含む全体の構成を示しているブロック図である。
【図２】図１に示される転送テーブルの設定例を示している図である。
【図３】独自プロトコルに従った構内ＩＰ電話端末が発呼する場合の処理手順を示しているシーケンス図である。
【図４】独自プロトコルに従った構内ＩＰ電話端末に着信する場合の処理手順を示しているシーケンス図である。
【図５】独自プロトコルに従った構内ＩＰ電話端末が接続中の通話を保留する場合の処理手順を示しているシーケンス図である。
【図６】独自プロトコルに従った構内ＩＰ電話端末が接続中の通話を保留の後に他のＩＰ電話端末に呼転送する場合の処理手順を示しているシーケンス図である。
【符号の簡単な説明】
１０ａ乃至１０ｂ  構内ＩＰ電話端末
１１ａ乃至１１ｂ  外部ＩＰ電話端末
１３  パケット転送装置
１４  構内ＩＰネットワーク
１５  ＩＰネットワーク
１６  公衆電話回線網
１３５  転送テーブル
【図１】
2005072673.tif 000003
【図２】
2005072673.tif 000004
【図３】
2005072673.tif 000005
【図４】
2005072673.tif 000006
【図５】
2005072673.tif 000007
【図６】
2005072673.tif 000008